【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
ワイヤレス通信デバイスによるチャネル状態情報（ＣＳＩ）報告のための方法であって、
基地局からの４送信アンテナ（４Ｔｘ）送信に対応するＣＳＩ報告のためのコードブックを決定することと、ここにおいて、前記コードブックがデュアルコードブック構造を有する、
報告モードに基づいて前記ＣＳＩにおけるプリコーディング行列インジケータ（ＰＭＩ）のためにどれほど多くのビットが割り当てられるかを調整することと、
前記コードブックを使用して前記ＣＳＩ報告を生成することと、
前記ＣＳＩ報告を基地局に送信することと
を備える、方法。
【請求項２】
前記デュアルコードブック構造がブロック対角ビームグリッド構造であり、ここにおいて、第１の行列が各偏波についてのビームグリッドを定義し、ここにおいて、第２の行列がビームグループ内でのビーム選択とコフェージングとを実行する、または、前記コードブックが、ビームグリッド解像度、ビームグループのサイズ、ビームグループ間の重複、およびコフェージング精度のうちの少なくとも１つに基づいて決定され、各パラメータが、前記コードブックを形成するために個々に適応可能である、請求項１に記載の方法。
【請求項３】
明示的ビット、動的パラメータおよび半静的パラメータのうちの少なくとも１つに基づくシグナリングを使用して前記コードブックをシグナリングすることをさらに備える、または、新しい報告タイプが、様々な報告モードでのプリコーディング行列インジケータ（ＰＭＩ）またはチャネル品質インジケータ（ＣＱＩ）のために費やされるビット数を調整するために定義される、または、前記ワイヤレス通信デバイスが、複数の構成されたコードブックのうちのいずれがＣＳＩ報告のために使用されるべきかを決定する、または、複数ユーザチャネル品質インジケータ仮定がコードブック適応とは別のままである、または、複数ユーザチャネル品質インジケータ仮定がコードブック適応に従う、請求項１に記載の方法。
【請求項４】
前記ＣＳＩ報告についての１１ビットペイロード制約を満たすためにコードブックサブサンプリングを実行することをさらに備える、請求項１に記載の方法。
【請求項５】
基地局によるチャネル状態情報（ＣＳＩ）報告のための方法であって、
前記基地局からの４送信アンテナ（４Ｔｘ）送信に対応するＣＳＩ報告のための、ワイヤレス通信デバイスによって使用されるコードブックを決定することと、ここにおいて、前記コードブックがデュアルコードブック構造を有する、
報告モードに基づいて前記ＣＳＩにおけるプリコーディング行列インジケータ（ＰＭＩ）のためにどれほど多くのビットが割り当てられるかを調整することと、
前記ＣＳＩ報告を受信することと、
前記コードブックを使用して前記ＣＳＩ報告を復号することと
を備える、方法。
【請求項６】
前記デュアルコードブック構造がブロック対角ビームグリッド構造であり、ここにおいて、第１の行列が各偏波についてのビームグリッドを定義し、ここにおいて、第２の行列がビームグループ内でのビーム選択とコフェージングとを実行する、または、前記コードブックが、ビームグリッド解像度、ビームグループのサイズ、ビームグループ間の重複、およびコフェージング精度のうちの少なくとも１つに基づいて決定され、各パラメータが、前記コードブックを形成するために個々に適応可能である、請求項５に記載の方法。
【請求項７】
明示的ビット、動的パラメータおよび半静的パラメータのうちの少なくとも１つに基づくシグナリングを使用して前記コードブックをシグナリングすることをさらに備える、または、新しい報告タイプが、様々な報告モードでのプリコーディング行列インジケータ（ＰＭＩ）またはチャネル品質インジケータ（ＣＱＩ）のために費やされるビット数を調整するために定義される、または、前記ワイヤレス通信デバイスが、複数の構成されたコードブックのうちのいずれがＣＳＩ報告のために使用されるべきかを決定する、または、複数ユーザチャネル品質インジケータ仮定がコードブック適応とは別のままである、または、複数ユーザチャネル品質インジケータ仮定がコードブック適応に従う、請求項５に記載の方法。
【請求項８】
前記ＣＳＩ報告についての１１ビットペイロード制約を満たすためにコードブックサブサンプリングを実行することをさらに備える、請求項５に記載の方法。
【請求項９】
チャネル状態情報（ＣＳＩ）報告のためのワイヤレス通信デバイスであって、
基地局からの４送信アンテナ（４Ｔｘ）送信に対応するＣＳＩ報告のためのコードブックを決定し、ここにおいて、前記コードブックがデュアルコードブック構造を有する、報告モードに基づいて前記ＣＳＩにおけるプリコーディング行列インジケータ（ＰＭＩ）のためにどれほど多くのビットが割り当てられるかを調整するための手段と、
前記コードブックを使用して前記ＣＳＩ報告を生成するための手段と、
前記ＣＳＩ報告を基地局に送信するための手段と
を備える、ワイヤレス通信デバイス。
【請求項１０】
チャネル状態情報（ＣＳＩ）報告のための基地局であって、
前記基地局からの４送信アンテナ（４Ｔｘ）送信に対応するＣＳＩ報告のためのワイヤレス通信デバイスによって使用されるコードブックを決定し、ここにおいて、前記コードブックがデュアルコードブック構造を有する、報告モードに基づいて前記ＣＳＩにおけるプリコーディング行列インジケータ（ＰＭＩ）のためにどれほど多くのビットが割り当てられるかを調整するための手段と、
前記ＣＳＩ報告を受信するための手段と
前記コードブックを使用して前記ＣＳＩ報告を復号するための手段と
を備える、基地局。
【請求項１１】
前記コードブックが、ビームグリッド解像度、ビームグループのサイズ、ビームグループ間の重複、およびコフェージング精度のうちの少なくとも１つに基づいて決定され、各パラメータが、前記コードブックを形成するために個々に適応可能である、請求項１０に記載の基地局または請求項９に記載のワイヤレス通信デバイス。
【請求項１２】
明示的ビット、動的パラメータおよび半静的パラメータのうちの少なくとも１つに基づくシグナリングを使用して前記コードブックをシグナリングするようにさらに構成される、または、前記ワイヤレス通信デバイスが、複数の構成されたコードブックのうちのいずれがＣＳＩ報告のために使用されるべきかを決定する、請求項１０に記載の基地局または請求項９に記載のワイヤレス通信デバイス。
【請求項１３】
チャネル状態情報（ＣＳＩ）報告のためのコンピュータプログラムであって、前記コンピュータプログラムが、命令をその上に備え、前記命令は、
ワイヤレス通信デバイスに、基地局からの４送信アンテナ（４Ｔｘ）送信に対応するＣＳＩ報告のためのコードブックを決定させ、ここにおいて、前記コードブックがデュアルコードブック構造を有する、報告モードに基づいて前記ＣＳＩにおけるプリコーディング行列インジケータ（ＰＭＩ）のためにどれほど多くのビットが割り当てられるかを調整させるためのコードと、
前記ワイヤレス通信デバイスに、前記コードブックを使用して前記ＣＳＩ報告を生成させるためのコードと、
前記ワイヤレス通信デバイスに、前記ＣＳＩ報告を基地局に送信させるためのコードと
を備える、コンピュータプログラム。
【請求項１４】
チャネル状態情報（ＣＳＩ）報告のためのコンピュータプログラムであって、前記コンピュータプログラムが、命令をその上に備え、前記命令は、
基地局に、前記基地局からの４送信アンテナ（４Ｔｘ）送信に対応するＣＳＩ報告のための、ワイヤレス通信デバイスによって使用されるコードブックを決定させ、ここにおいて、前記コードブックがデュアルコードブック構造を有する、報告モードに基づいて前記ＣＳＩにおけるプリコーディング行列インジケータ（ＰＭＩ）のためにどれほど多くのビットが割り当てられるかを調整させるためのコードと、
前記基地局に前記ＣＳＩ報告を受信させるためのコードと、
前記基地局に、前記コードブックを使用して前記ＣＳＩ報告を復号させるためのコードと
を備える、コンピュータプログラム。
【手続補正２】
【補正対象書類名】明細書
【補正対象項目名】０１３６
【補正方法】変更
【補正の内容】
【０１３６】
[00141]特許請求の範囲は、上記で示した厳密な構成および構成要素に限定されないことを理解されたい。特許請求の範囲から逸脱することなく、本明細書で説明したシステム、方法、および装置の構成、動作および詳細において、様々な修正、変更および変形が行われ得る。
以下に、出願当初の特許請求の範囲に記載された発明を付記する。
［Ｃ１］
チャネル状態情報（ＣＳＩ）報告のための方法であって、
基地局からの４送信アンテナ（４Ｔｘ）送信に対応するＣＳＩ報告のためのコードブックを決定することと、ここにおいて、前記コードブックがデュアルコードブック構造を有する、
前記コードブックを使用して前記ＣＳＩ報告を生成することと、
前記ＣＳＩ報告を基地局に送信することとを備える、方法。
［Ｃ２］
前記デュアルコードブック構造がブロック対角ビームグリッド構造であり、ここにおいて、第１の行列が各偏波についてのビームグリッドを定義し、ここにおいて、第２の行列がビームグループ内でのビーム選択とコフェージングとを実行する、Ｃ１に記載の方法。
［Ｃ３］
前記コードブックが、ビームグリッド解像度、ビームグループのサイズ、ビームグループ間の重複、およびコフェージング精度のうちの少なくとも１つに基づいて決定される、Ｃ１に記載の方法。
［Ｃ４］
各パラメータが、前記コードブックを形成するために個々に適応可能である、Ｃ３に記載の方法。
［Ｃ５］
明示的ビット、動的パラメータおよび半静的パラメータのうちの少なくとも１つに基づくシグナリングを使用して前記コードブックをシグナリングすることをさらに備える、Ｃ１に記載の方法。
［Ｃ６］
新しい報告タイプが、様々な報告モードでのプリコーディング行列インジケータ（ＰＭＩ）またはチャネル品質インジケータ（ＣＱＩ）のために費やされるビット数を調整するために定義される、Ｃ１に記載の方法。
［Ｃ７］
前記方法がワイヤレス通信デバイスによって実行され、ここにおいて、前記ワイヤレス通信デバイスが、複数の構成されたコードブックのうちのいずれがＣＳＩ報告のために使用されるべきかを決定する、Ｃ１に記載の方法。
［Ｃ８］
複数ユーザチャネル品質インジケータ仮定がコードブック適応とは別のままである、Ｃ１に記載の方法。
［Ｃ９］
複数ユーザチャネル品質インジケータ仮定がコードブック適応に従う、Ｃ１に記載の方法。
［Ｃ１０］
前記ＣＳＩ報告についての１１ビットペイロード制約を満たすためにコードブックサブサンプリングを実行することをさらに備える、Ｃ１に記載の方法。
［Ｃ１１］
基地局によるチャネル状態情報（ＣＳＩ）報告のための方法であって、
前記基地局からの４送信アンテナ（４Ｔｘ）送信に対応するＣＳＩ報告のための、ワイヤレス通信デバイスによって使用されるコードブックを決定することと、ここにおいて、前記コードブックがデュアルコードブック構造を有する、
前記ＣＳＩ報告を受信することと、
前記コードブックを使用して前記ＣＳＩ報告を復号することとを備える、方法。
［Ｃ１２］
前記デュアルコードブック構造がブロック対角ビームグリッド構造であり、ここにおいて、第１の行列が各偏波についてのビームグリッドを定義し、ここにおいて、第２の行列がビームグループ内でのビーム選択とコフェージングとを実行する、Ｃ１１に記載の方法。
［Ｃ１３］
前記コードブックが、ビームグリッド解像度、ビームグループのサイズ、ビームグループ間の重複、およびコフェージング精度のうちの少なくとも１つに基づいて決定される、Ｃ１１に記載の方法。
［Ｃ１４］
各パラメータが、前記コードブックを形成するために個々に適応可能である、Ｃ１３に記載の方法。
［Ｃ１５］
明示的ビット、動的パラメータおよび半静的パラメータのうちの少なくとも１つに基づくシグナリングを使用して前記コードブックをシグナリングすることをさらに備える、Ｃ１１に記載の方法。
［Ｃ１６］
新しい報告タイプが、様々な報告モードでのプリコーディング行列インジケータ（ＰＭＩ）またはチャネル品質インジケータ（ＣＱＩ）のために費やされるビット数を調整するために定義される、Ｃ１１に記載の方法。
［Ｃ１７］
前記ワイヤレス通信デバイスが、複数の構成されたコードブックのうちのいずれがＣＳＩ報告のために使用されるべきかを決定する、Ｃ１１に記載の方法。
［Ｃ１８］
複数ユーザチャネル品質インジケータ仮定がコードブック適応とは別のままである、Ｃ１１に記載の方法。
［Ｃ１９］
複数ユーザチャネル品質インジケータ仮定がコードブック適応に従う、Ｃ１１に記載の方法。
［Ｃ２０］
前記ＣＳＩ報告についての１１ビットペイロード制約を満たすためにコードブックサブサンプリングを実行することをさらに備える、Ｃ１１に記載の方法。
［Ｃ２１］
チャネル状態情報（ＣＳＩ）報告のためのワイヤレス通信デバイスであって、
プロセッサと、
前記プロセッサと電子通信しているメモリと、
前記メモリに記憶された命令とを備え、前記命令は、
基地局からの４送信アンテナ（４Ｔｘ）送信に対応するＣＳＩ報告のためのコードブックを決定することと、ここにおいて、前記コードブックがデュアルコードブック構造を有する、
前記コードブックを使用して前記ＣＳＩ報告を生成することと、
前記ＣＳＩ報告を基地局に送信することとを行うために前記プロセッサによって実行可能である、ワイヤレス通信デバイス。
［Ｃ２２］
前記コードブックが、ビームグリッド解像度、ビームグループのサイズ、ビームグループ間の重複、およびコフェージング精度のうちの少なくとも１つに基づいて決定される、Ｃ２１に記載のワイヤレス通信デバイス。
［Ｃ２３］
各パラメータが、前記コードブックを形成するために個々に適応可能である、Ｃ２２に記載のワイヤレス通信デバイス。
［Ｃ２４］
明示的ビット、動的パラメータおよび半静的パラメータのうちの少なくとも１つに基づくシグナリングを使用して前記コードブックをシグナリングするために実行可能な命令をさらに備える、Ｃ２１に記載のワイヤレス通信デバイス。
［Ｃ２５］
複数の構成されたコードブックのうちのいずれがＣＳＩ報告のために使用されるべきかを決定するために実行可能な命令をさらに備える、Ｃ２１に記載のワイヤレス通信デバイス。
［Ｃ２６］
チャネル状態情報（ＣＳＩ）報告のための基地局であって、
プロセッサと、
前記プロセッサと電子通信しているメモリと、
前記メモリに記憶された命令とを備え、前記命令は、
前記基地局からの４送信アンテナ（４Ｔｘ）送信に対応するＣＳＩ報告のための、ワイヤレス通信デバイスによって使用されるコードブックを決定することと、ここにおいて、前記コードブックがデュアルコードブック構造を有する、
前記ＣＳＩ報告を受信することと、
前記コードブックを使用して前記ＣＳＩ報告を復号することとを行うために前記プロセッサによって実行可能である、基地局。
［Ｃ２７］
前記コードブックが、ビームグリッド解像度、ビームグループのサイズ、ビームグループ間の重複、およびコフェージング精度のうちの少なくとも１つに基づいて決定される、Ｃ２６に記載の基地局。
［Ｃ２８］
各パラメータが、前記コードブックを形成するために個々に適応可能である、Ｃ２７に記載の基地局。
［Ｃ２９］
明示的ビット、動的パラメータおよび半静的パラメータのうちの少なくとも１つに基づくシグナリングを使用して前記コードブックをシグナリングするために実行可能な命令をさらに備える、Ｃ２６に記載の基地局。
［Ｃ３０］
前記ワイヤレス通信デバイスが、複数の構成されたコードブックのうちのいずれがＣＳＩ報告のために使用されるべきかを決定する、Ｃ２６に記載の基地局。
［Ｃ３１］
チャネル状態情報（ＣＳＩ）報告のためのワイヤレス通信デバイスであって、
基地局からの４送信アンテナ（４Ｔｘ）送信に対応するＣＳＩ報告のためのコードブックを決定するための手段と、ここにおいて、前記コードブックがデュアルコードブック構造を有する、
前記コードブックを使用して前記ＣＳＩ報告を生成するための手段と、
前記ＣＳＩ報告を基地局に送信するための手段とを備える、ワイヤレス通信デバイス。
［Ｃ３２］
チャネル状態情報（ＣＳＩ）報告のための基地局であって、
前記基地局からの４送信アンテナ（４Ｔｘ）送信に対応するＣＳＩ報告のための、ワイヤレス通信デバイスによって使用されるコードブックを決定するための手段と、ここにおいて、前記コードブックがデュアルコードブック構造を有する、
前記ＣＳＩ報告を受信するための手段と、
前記コードブックを使用して前記ＣＳＩ報告を復号するための手段とを備える、基地局。
［Ｃ３３］
チャネル状態情報（ＣＳＩ）報告のためのコンピュータプログラム製品であって、前記コンピュータプログラム製品が、命令をその上に有する非一時的コンピュータ可読媒体を備え、前記命令は、
ワイヤレス通信デバイスに、基地局からの４送信アンテナ（４Ｔｘ）送信に対応するＣＳＩ報告のためのコードブックを決定させるためのコードと、ここにおいて、前記コードブックがデュアルコードブック構造を有する、
前記ワイヤレス通信デバイスに、前記コードブックを使用して前記ＣＳＩ報告を生成させるためのコードと、
前記ワイヤレス通信デバイスに、前記ＣＳＩ報告を基地局に送信させるためのコードとを備える、コンピュータプログラム製品。
［Ｃ３４］
チャネル状態情報（ＣＳＩ）報告のためのコンピュータプログラム製品であって、前記コンピュータプログラム製品が、命令をその上に有する非一時的コンピュータ可読媒体を備え、前記命令は、
基地局に、前記基地局からの４送信アンテナ（４Ｔｘ）送信に対応するＣＳＩ報告のための、ワイヤレス通信デバイスによって使用されるコードブックを決定させるためのコードと、ここにおいて、前記コードブックがデュアルコードブック構造を有する、
前記基地局に前記ＣＳＩ報告を受信させるためのコードと、
前記基地局に、前記コードブックを使用して前記ＣＳＩ報告を復号させるためのコードとを備える、コンピュータプログラム製品。